(57)【要約】【課題】適切な画像表示が可能な画像表示装置及び画像表示方法を提供する。【解決手段】画像表示装置１００−１は、スクリーン１０４に画像を投影するリア投影装置１０８と、スクリーン１０４に、リア投影装置１０８によって投影される画像に重ねて画像を投影するフロント投影装置１０６と、スクリーン１０４を撮影する撮影装置１１０と、撮影により得られたスクリーン１０４の画像に基づいて、リア投影装置１０８及びフロント投影装置１０６による画像投影の少なくともいずれかを制御するＰＣ１０２とを有する。【選択図】図１
2008026424.tif 000002
【特許請求の範囲】
【請求項１】
所定の表示領域に画像を表示する表示手段と、
前記表示領域に、前記表示手段によって表示される画像に重ねて画像を投影する投影手段と、
前記表示領域を撮影する撮影手段と、
前記撮影により得られた表示領域の画像に基づいて、前記表示手段による画像表示及び前記投影手段による画像投影の少なくともいずれかを制御する制御手段とを有することを特徴とする画像表示装置。
【請求項２】
前記表示手段は、前記表示領域を挟んで前記投影手段と反対側に配置され、前記表示領域に画像を投影することを特徴とする請求項１に記載の画像表示装置。
【請求項３】
前記表示手段は、前記表示領域に画像を投影するプロジェクタであることを特徴とする請求項２に記載の画像表示装置。
【請求項４】
前記表示手段は、前記表示領域としての表示画面を有する表示機器であることを特徴とする請求項１に記載の画像表示装置。
【請求項５】
前記制御手段は、前記表示領域において、前記表示手段によって表示される画像と、前記投影手段によって投影される画像とが一致するように前記表示手段による画像表示及び前記投影手段による画像投影の少なくともいずれかを制御することを特徴とする請求項１乃至４のいずれかに記載の画像表示装置。
【請求項６】
前記制御手段は、前記表示領域において、前記表示手段による画像の表示範囲と、前記投影手段による画像の投影範囲とを一致させることを特徴とする請求項５に記載の画像表示装置。
【請求項７】
前記表示領域における、前記表示手段により表示されるべき画像の全部又は一部が遮蔽された領域である遮蔽領域を検出する検出手段を有し、
前記制御手段は、前記表示手段により表示されるべき画像のうち、前記遮蔽領域に対応する画像を前記投影手段に投影させる制御を行うことを特徴とする請求項１乃至６のいずれかに記載の画像表示装置。
【請求項８】
前記検出手段は、前記撮影により得られた表示領域の画像と、前記表示手段により表示されるべき画像との差分を検出し、該差分に基づいて前記遮蔽領域を検出することを特徴とする請求項７に記載の画像表示装置。
【請求項９】
前記表示領域に赤外光を照射する光源と、
前記表示領域を挟んで前記光源と反対側に配置され、前記表示領域における赤外光の透過状態を検知する検知手段とを有し、
前記検出手段は、前記検知手段により検知された前記表示領域における赤外光の透過状態に基づいて、前記遮蔽領域を検出することを特徴とする請求項７に記載の画像表示装置。
【請求項１０】
前記表示手段は、前記表示領域としての表示画面を有する表示機器であって、該表示画面から赤外光を発する発光手段を有し、
前記表示画面と対向して配置され、前記表示画面からの赤外光の発光状態を検知する検知手段とを有し、
前記検出手段は、前記検知手段により検知された前記表示画面からの赤外光の発光状態に基づいて、前記遮蔽領域を検出することを特徴とする請求項７に記載の画像表示装置。
【請求項１１】
前記検知手段は、赤外領域に感度を有するカメラであり、前記表示領域を撮影して得られる画像により、該表示領域における赤外光を検知することを特徴とする請求項９又は１０に記載の画像表示装置。
【請求項１２】
前記投影手段による画像の投影方向に配置され、前記投影手段により投影される画像を反射させて前記表示領域に投影する第１の反射手段を有することを特徴とする請求項１乃至１１のいずれかに記載の画像表示装置。
【請求項１３】
前記表示手段は、前記表示領域に画像を投影するプロジェクタであって、
前記プロジェクタによる画像の投影方向に配置され、前記プロジェクタにより投影される画像を反射させて前記表示領域に投影する第２の反射手段を有することを特徴とする請求項１乃至１２のいずれかに記載の画像表示装置。
【請求項１４】
前記表示手段は、ネットワークを介して外部から送られてきた画像情報に対応する画像を前記表示領域に表示することを特徴とする請求項１乃至１３のいずれかに記載の画像表示装置。
【請求項１５】
前記投影手段は、ネットワークを介して外部から送られてきた画像情報に対応する画像を前記表示領域に投影することを特徴とする請求項１乃至１４のいずれかに記載の画像表示装置。
【請求項１６】
所定の表示領域に画像を表示する表示ステップと、
前記表示領域に、前記表示手段によって表示される画像に重ねて画像を投影する投影ステップと、
前記表示領域を撮影する撮影ステップと、
前記撮影により得られた表示領域の画像に基づいて、前記表示ステップによる画像表示及び前記投影ステップによる画像投影の少なくともいずれかを制御する制御ステップとを有することを特徴とする画像表示方法。
【発明の詳細な説明】
【技術分野】
【０００１】
本発明は、観察者に提供する画像を表示する画像表示装置及び画像表示方法に関する。
【背景技術】
【０００２】
プレゼンテーションにおいては、パーソナルコンピュータ（ＰＣ）のプレゼンテーション用ソフトウェアを用いて作成された資料（スライド）画像を、プロジェクタによってスクリーン等の表示媒体（例えば、特許文献１参照）における表示領域に投影する手法が用いられることが多い。このようなプロジェクタにおいては、遠隔地からネットワーク経由等で送られてきた画像情報に対応する画像をプロジェクタで表示領域に投影し、更に、その画像が投影された表示領域をカメラで撮影し、当該撮影により得られた画像情報を遠隔地に送ることも行われる場合もある（例えば、特許文献２参照）。
【特許文献１】特開２００１−２９０２２１号公報
【特許文献２】特開２００５−３３７５６号公報
【発明の開示】
【発明が解決しようとする課題】
【０００３】
ところで、プロジェクタは、表示領域に画像を投影するフロント投影システムと称されるものが一般的であるが、このフロント投影システムによって表示領域に画像を投影する場合、プロジェクタと表示媒体との間に人間等の遮蔽物が存在すると、その遮蔽物の陰によって一部の画像が表示領域に投影されなくなってしまう。また、表示媒体がプラズマディスプレイ（ＰＤＰ）や液晶パネル等の自ら画像表示を行うものである場合や、背面方向から投影される画像を表示するものである場合、表示領域にドキュメントや図面等の印刷物、付箋紙等が貼り付けられた場合、当該表示領域に表示されている画像が見えなくなってしまう。
【０００４】
本発明は、上記問題点に鑑みてなされたもので、適切な画像表示が可能な画像表示装置及び画像表示方法を提供することを目的としている。
【課題を解決するための手段】
【０００５】
本発明の画像表示装置は、所定の表示領域に画像を表示する表示手段と、前記表示領域に、前記表示手段によって表示される画像に重ねて画像を投影する投影手段と、前記表示領域を撮影する撮影手段と、前記撮影により得られた表示領域の画像に基づいて、前記表示手段による画像表示及び前記投影手段による画像投影の少なくともいずれかを制御する制御手段とを有することを特徴とする。
【０００６】
この構成によれば、表示手段による表示領域における画像表示及び投影手段による表示領域における画像投影の少なくともいずれかが制御されることにより、表示領域における適切な画像表示が可能となる。ここで、表示領域は、壁面スクリーン、光を透過させるテーブル、床、表示機器の表示画面等に構成されることが考えられる。
【０００７】
同様の観点から、本発明の画像表示装置は、前記表示手段が、前記表示領域を挟んで前記投影手段と反対側に配置され、前記表示領域に画像を投影するようにしてもよい。
【０００８】
同様の観点から、本発明の画像表示装置は、前記表示手段が、前記表示領域に画像を投影するプロジェクタであるようにしてもよい。
【０００９】
同様の観点から、本発明の画像表示装置は、前記表示領域としての表示画面を有する表示機器であるようにしてもよい。
【００１０】
また、本発明の画像表示装置は、前記制御手段が、前記表示領域において、前記表示手段によって表示される画像と、前記投影手段によって投影される画像とが一致するように前記表示手段による画像表示及び前記投影手段による画像投影の少なくともいずれかを制御するようにしてもよい。
【００１１】
この構成によれば、投影手段と表示領域との間に人間等の遮蔽物が存在し、その遮蔽物の陰によって一部の画像が表示領域に投影されなくても、表示手段によって表示領域に同一の画像が表示され、観察者は、画像の全体を認識することができる。
【００１２】
同様の観点から、本発明の画像表示装置は、前記制御手段が、前記表示領域において、前記表示手段による画像の表示範囲と、前記投影手段による画像の投影範囲とを一致させるようにしてもよい。
【００１３】
また、本発明の画像表示装置は、前記表示領域における、前記表示手段により表示されるべき画像の全部又は一部が遮蔽された領域である遮蔽領域を検出する検出手段を有し、前記制御手段が、前記表示手段により表示されるべき画像のうち、前記遮蔽領域に対応する画像を前記投影手段に投影させる制御を行うようにしてもよい。
【００１４】
この構成によれば、表示領域に遮蔽物が貼り付けられて、その領域において表示手段によって表示される画像が見えなくなる場合に、画像を投影させることで、観察者が画像の全体を認識することが可能となる。
【００１５】
同様の観点から、本発明の画像表示装置は、前記検出手段が、前記撮影により得られた表示領域の画像と、前記表示手段により表示されるべき画像との差分を検出し、該差分に基づいて前記遮蔽領域を検出するようにしてもよい。
【００１６】
同様の観点から、本発明の画像表示装置は、前記表示領域に赤外光を照射する光源と、前記表示領域を挟んで前記光源と反対側に配置され、前記表示領域における赤外光の透過状態を検知する検知手段とを有し、前記検出手段が、前記検知手段により検知された前記表示領域における赤外光の透過状態に基づいて、前記遮蔽領域を検出するようにしてもよい。
【００１７】
同様の観点から、本発明の画像表示装置は、前記表示手段が、前記表示領域としての表示画面を有する表示機器であって、該表示画面から赤外光を発する発光手段を有し、前記表示画面と対向して配置され、前記表示画面からの赤外光の発光状態を検知する検知手段とを有し、前記検出手段が、前記検知手段により検知された前記表示画面からの赤外光の発光状態に基づいて、前記遮蔽領域を検出するようにしてもよい。
【００１８】
同様の観点から、本発明の画像表示装置は、前記検知手段が、赤外領域に感度を有するカメラであり、前記表示領域を撮影して得られる画像により、該表示領域における赤外光を検知するようにしてもよい。
【００１９】
また、本発明の画像表示装置は、前記投影手段による画像の投影方向に配置され、前記投影手段により投影される画像を反射させて前記表示領域に投影する第１の反射手段を有するようにしてもよい。
【００２０】
この構成によれば、投影手段が直接に画像を表示領域に投影する場合よりも、投影手段と表示領域との距離を短くして装置の小型化を図ることが可能となる。
【００２１】
また、本発明の画像表示装置は、前記表示手段が、前記表示領域に画像を投影するプロジェクタであって、前記プロジェクタによる画像の投影方向に配置され、前記プロジェクタにより投影される画像を反射させて前記表示領域に投影する第２の反射手段を有するようにしてもよい。
【００２２】
この構成によれば、表示手段としてのプロジェクタが直接に画像を表示領域に投影する場合よりも、表示手段と表示領域との距離を短くして装置の小型化を図ることが可能となる。
【００２３】
また、本発明の画像表示装置は、前記表示手段が、ネットワークを介して外部から送られてきた画像情報に対応する画像を前記表示領域に表示するようにしてもよい。
【００２４】
また、本発明の画像表示装置は、前記投影手段が、ネットワークを介して外部から送られてきた画像情報に対応する画像を前記表示領域に投影するようにしてもよい。
【００２５】
本発明の画像表示方法は、所定の表示領域に画像を表示する表示ステップと、前記表示領域に、前記表示手段によって表示される画像に重ねて画像を投影する投影ステップと、前記表示領域を撮影する撮影ステップと、前記撮影により得られた表示領域の画像に基づいて、前記表示ステップによる画像表示及び前記投影ステップによる画像投影の少なくともいずれかを制御する制御ステップとを有することを特徴とする。
【発明の効果】
【００２６】
本発明によれば、表示手段による表示領域における画像表示及び投影手段による表示領域における画像投影の少なくともいずれかが制御され、表示領域における適切な画像表示が可能となる。
【発明を実施するための最良の形態】
【００２７】
以下、本発明の実施の形態の画像表示装置について、図面を用いて説明する。図１は、本発明における第１の画像表示装置の構成を示す図である。図１に示す画像表示装置１００−１は、会議室等で行われるプレゼンテーション等において、画像を表示するものである。
【００２８】
この画像表示装置１００−１は、制御手段及び検出手段としてのパーソナルコンピュータ（ＰＣ）１０２、スクリーン１０４、表示手段又は投影手段としてのフロント投影装置１０６、フロント投影装置１０６が表示手段に対応する場合には投影手段に対応し、フロント投影装置１０６が投影手段に対応する場合には表示手段に対応するリア投影装置１０８、及び、撮影手段としての撮影装置１１０により構成される。
【００２９】
ＰＣ１０２は、フロント投影装置１０６、リア投影装置１０８及び撮影装置１１０の動作を制御する。具体的には、ＰＣ１０２とネットワーク１５０を介して接続されたＰＣ１６０は、ＰＣ１０２に対して、画像情報を送信する。この画像情報には、スクリーン１０４の表示領域１０３における投影位置を一意に特定可能な位置情報が含まれているとともに、投影指示が付加されている。ＰＣ１０２は、ネットワーク１５０経由でＰＣ１６０から送られてきた画像情報を、当該画像情報に付加されている投影指示に基づいて、画像情報をフロント投影装置１０６及びリア投影装置１０８へ出力する。この際、ＰＣ１０２は、必要に応じて、フロント投影装置１０６及びリア投影装置１０８へ同一の画像情報を出力してもよく、異なる画像情報を出力してもよい。また、ＰＣ１０２は、撮影装置１１０に対して、撮影を指示する。
【００３０】
フロント投影装置１０６は、スクリーン１０４の前面側に配置され、ＰＣ１０２の制御によって投影範囲が当該スクリーン１０４の表示領域１０３になるように設定され、ＰＣ１０２からの画像情報に対応する画像をスクリーン１０４の前面に向けて投影する。一方、リア投影装置１０８は、スクリーン１０４の背面側に配置され、ＰＣ１０２の制御によって投影範囲が当該スクリーン１０４の表示領域１０３になるように設定され、ＰＣ１０２からの画像情報に対応する画像をスクリーン１０４の背面に向けて投影する。なお、スクリーン１０４は、素材が均一の濃度であることが望ましい。
【００３１】
撮影装置１１０は、スクリーン１０４の前面側に配置され、ＰＣ１０２の制御によって撮影範囲が当該スクリーン１０４の表示領域１０３になるように設定され、ＰＣ１０２の指示に応じて、スクリーン１０４を撮影する。
【００３２】
画像表示装置１００−１において、ＰＣ１０２からフロント投影装置１０６及びリア投影装置１０８へ同一の画像情報が出力される場合には、フロント投影装置１０６は、入力した画像情報に応じた画像をスクリーン１０４に投影し、リア投影装置１０８は、入力した画像情報に応じた画像を反転させた画像をスクリーン１０４に投影する。これにより、スクリーン１０４においてフロント投影装置１０６から投影される画像と、リア投影装置１０８から投影される画像とが一致する。
【００３３】
このため、フロント投影装置１０６とスクリーン１０４との間に人間等の遮蔽物が存在し、その遮蔽物の陰によってフロント投影装置１０６によって投影される画像の一部がスクリーン１０４に投影されなくても、リア投影装置１０８によって同一の画像が表示されるため、観察者は、画像の全体を認識することができる。
【００３４】
また、画像表示装置１００−１においては、スクリーン１０４にドキュメントや図面等の印刷物、付箋紙等が貼り付けられて一部が遮蔽された場合に、表示手段としてのリア投影装置１０８から投影される画像のうち、遮蔽領域１０５に対応する部分の画像が投影手段としてのフロント投影装置１０６から投影される。以下、この動作の詳細を、フローチャートを参照しつつ説明する。
【００３５】
図２は、画像表示装置１００−１におけるスクリーン１０４の遮蔽時の動作を示すフローチャートである。ＰＣ１０２は、利用者の操作指示に応じて、メモリに予め保持しているドキュメント等の画像情報をリア投影装置１０８へ出力する。この画像情報は、スクリーン１０４に表示されるべき画像の画像情報である。リア投影装置１０８は、入力した画像情報に対応する画像（以下、「ＰＣ画像」と称する）をスクリーン１０４に投影する（Ｓ１０１）。
【００３６】
次に、ＰＣ１０２は、撮影装置１１０に対して、撮影を指示する。撮影装置１１０は、この指示に応じて、スクリーン１０４を撮影する（Ｓ１０２）。撮影により得られた画像情報は、ＰＣ１０２に送られる。
【００３７】
ＰＣ１０２は、撮影装置１１０からの画像情報を入力すると、リア投影装置１０８へ出力した画像情報に対応するＰＣ画像と、撮影装置１１０からの画像情報に対応する画像（以下、「撮影画像」と称する）とを比較し、これらが一致するか否かを判定する（Ｓ１０３）。ここで、ＰＣ１０２は、ＰＣ画像及び撮影画像を拡大あるいは縮小することによって、これらＰＣ画像及び撮影画像の大きさ（画素数）を一致させ、更に、同一位置の画素の画素値を比較し、画素値の差が所定値未満の画素の数を計数する。そして、ＰＣ１０２は、計数した画素の数が画像全体における画素の数の所定の割合を占める場合には、ＰＣ画像と撮影画像とが一致すると判断する。
【００３８】
ＰＣ画像と撮影画像とが一致する場合には一連の動作が終了する。一方、スクリーン１０４に遮蔽物が貼り付けられて一部が遮蔽された場合には、ＰＣ画像と撮影画像とが一致しない。この場合、ＰＣ１０２は、ＰＣ画像と撮影画像との差分を検出する（Ｓ１０４）。この差分は、スクリーン１０４における表示領域１０３に遮蔽領域１０５が存在する場合に発生する。具体的には、ＰＣ１０２は、ＰＣ画像と撮影画像のそれぞれにおける同一位置の画素を比較し、画素値の差が所定値を超える場合には、その画素が差分であると判断する。例えば、図３（ａ）に示すＰＣ画像２００と、図３（ｂ）に示す撮影画像２１０において、同一位置の画素２０１及び２１１と、画素２０２及び２１２は、画素値の差が大きい。このため、ＰＣ１０２は、画素２０１及び２１１と、画素２０２及び２１２とを、差分であると判断する。
【００３９】
更に、ＰＣ１０２は、検出された差分となる画素に基づいて、遮蔽領域１０５を検出する（Ｓ１０５）。具体的には、ＰＣ１０２は、差分となる画素から構成される画像に対応する表示領域１０３の部分を遮蔽領域１０５として検出する。更に、ＰＣ１０２は、ＰＣ画像のうち、遮蔽領域１０５に対応するＰＣ画像の画像情報をフロント投影装置１０６へ出力する。フロント投影装置１０６は、入力した画像情報に対応する画像をスクリーン１０４の前面に向けて投影する（Ｓ１０６）。これにより、スクリーン１０４における遮蔽領域１０５に、リア投影装置１０８によって投影される画像のうち、その遮蔽領域１０５によって遮られた画像が前面側から投影されることになり、観察者は、リア投影装置１０８によって投影される画像の全体を認識することができる。
【００４０】
なお、スクリーン１０４が、リア投影装置１０８による投影によってのみ結像する構造になっている場合には、ＰＣ１０２は、ＰＣ画像のうち、差分領域に対応する画像情報をフロント投影装置１０６へ出力する代わりに、ＰＣ画像全体の画像情報を出力してもよい。この場合には、フロント投影装置１０６は、スクリーン１０４の表示領域１０３における遮蔽領域１０５以外の領域（以下、「透過領域」と称する）にも画像を投影することになる。
【００４１】
しかし、スクリーン１０４が、リア投影装置１０８による投影によってのみ結像する構造になっているため、透過領域では、フロント投影装置１０６による投影が行われても結像がされず、遮蔽物の存在する遮蔽領域１０５にのみ結像がされる。従って、透過領域において、フロント投影装置１０６及びリア投影装置１０８の双方から投影がなされることで、画像にボケが生じるようなことはない。
【００４２】
図４は、本発明における第２の画像表示装置の構成を示す図である。図４に示す画像表示装置１００−２は、制御手段及び検出手段としてのパーソナルコンピュータ（ＰＣ）１０２、スクリーン１０４、投影手段としてのフロント投影装置１０６、表示手段としてのリア投影装置１０８、撮影手段としての撮影装置１１０、及び、光源としての赤外光源１１２と、検知手段としての赤外領域撮影装置１１４とを有する。
【００４３】
ＰＣ１０２は、赤外光源１１２に対して赤外光の照射を指示するとともに、赤外領域撮影装置１１４に対して撮影を指示する。赤外光源１１２は、スクリーン１０４の背面側に配置され、ＰＣ１０２の指示に応じて、スクリーン１０４の全体に向けて赤外線を照射する。赤外領域撮影装置１１４は、スクリーン１０４の前面側に配置され、当該スクリーン１０４に対応する画角を有している。この赤外領域撮影装置１１４は、赤外領域に感度を有しており、ＰＣ１０２の指示に応じて、スクリーン１０４を透過した赤外光を撮影する。
【００４４】
この画像表示装置１００−２において、スクリーン１０４に遮蔽物が貼り付けられて一部が遮蔽された場合、ＰＣ１０２は、赤外領域撮影装置１１４による撮影によって得られた画像情報に対応する画像に基づいて、スクリーン１０４において赤外光が透過しなかった領域を遮蔽領域１０５として検出する。
【００４５】
更に、ＰＣ１０２は、リア投影装置１０８へ出力した画像情報に対応するＰＣ画像のうち、遮蔽領域に対応するものを特定し、その画像情報をフロント投影装置１０６へ出力する。フロント投影装置１０６は、入力した画像情報に対応する画像をスクリーン１０４の前面に向けて投影する。これにより、スクリーン１０４における遮蔽領域１０５に、リア投影装置１０８によって投影される画像のうち、その遮蔽領域１０５によって遮られた画像が前面側から投影されることになり、観察者は、リア投影装置１０８によって投影される画像の全体を認識することができる。
【００４６】
なお、上述と同様、スクリーン１０４が、リア投影装置１０８による投影によってのみ結像する構造になっている場合には、ＰＣ１０２は、ＰＣ画像のうち、遮蔽領域１０５に対応する画像情報をフロント投影装置１０６へ出力する代わりに、ＰＣ画像全体の画像情報を出力し、フロント投影装置１０６が、ＰＣ画像全体をスクリーン１０４の前面に向けて投影するようにしてもよい。
【００４７】
図５は、画像表示装置１００−１及び１００−２の各部の配置例を示す図である。なお、赤外光源１１２及び赤外領域撮影装置１１４は、画像表示装置１００−２のみが有するものである。
【００４８】
図５（ａ）に示す配置例では、リア投影装置１０８の投影方向に、当該リア投影装置１０８が投影手段に対応する場合には第１の反射手段に対応し、当該リア投影装置１０８が表示手段に対応する場合には第２の反射手段に対応するミラー１２１が配置されており、当該ミラー１２１によって反射した画像がスクリーン１０４に投影される。一方、図５（ｂ）に示す配置例では、リア投影装置１０８の投影方向にミラー１２１が配置されるとともに、フロント投影装置１０６の投影方向に、当該フロント投影装置１０６が投影手段に対応する場合には第１の反射手段に対応し、当該フロント投影装置１０６が表示手段に対応する場合には第２の反射手段に対応するミラー１２２が配置されており、ミラー１２１によって反射した画像がスクリーン１０４に投影され、ミラー１２２によって反射した画像がスクリーン１０４に投影される。なお、スクリーン１０４に代えて、光を透過させるテーブルや床等を用いてもよい。この場合、テーブルの主面や床は水平であるため、遮蔽物となる付箋紙当をそのまま配置することができる。
【００４９】
図６は、本発明における第３の画像表示装置の構成を示す図である。図６に示す画像表示装置１００−３は、制御手段及び検出手段としてのパーソナルコンピュータ（ＰＣ）１０２、投影手段としてのフロント投影装置１０６、撮影手段としての撮影装置１１０、及び、検知手段としての赤外領域撮影装置１１４、及び、表示手段及び発光手段としての赤外光源付プラズマディスプレイ（ＰＤＰ）１１６を有する。画像表示装置１００−３のうち、フロント投影装置１０６、撮影装置１１０、赤外領域撮影装置１１４及び赤外光源付ＰＤＰ１１６は、例えば、図７に示すように配置される。
【００５０】
ＰＣ１０２は、赤外光源付ＰＤＰ１１６に対して、画像情報を出力するとともに、赤外光の照射を指示する。赤外光源付ＰＤＰ１１６は、入力した画像情報に対応する画像を表示するとともに、ＰＣ１０２の指示に応じて表示領域１０３から赤外光を発する。
【００５１】
この画像表示装置１００−３において、赤外光源付ＰＤＰ１１６に遮蔽物が貼り付けられて一部が遮蔽された場合、ＰＣ１０２は、赤外領域撮影装置１１４による撮影によって得られた画像情報に対応する画像に基づいて、赤外光源付ＰＤＰ１１６において赤外光が遮蔽された領域を遮蔽領域１０５として検出する。
【００５２】
その後は、画像表示装置１００−２と同様、ＰＣ１０２は、リア投影装置１０８へ出力した画像情報に対応するＰＣ画像のうち、遮蔽領域１０５に対応するものを特定し、その画像情報をフロント投影装置１０６へ出力する。フロント投影装置１０６は、入力した画像情報に対応する画像をスクリーン１０４に投影する。これにより、スクリーン１０４における遮蔽領域１０５に、赤外光源付ＰＤＰ１１６によって表示される画像のうち、その遮蔽領域１０５によって遮られた画像が前面側から投影されることになり、観察者は、赤外光源付ＰＤＰ１１６に表示される画像の全体を認識することができる。
【００５３】
このように、画像表示装置１００−１、１００−２及び１００−３では、スクリーン１０４の前面と背面の双方に画像が投影され、あるいは、赤外光源付ＰＤＰ１１６による画像表示とともにその前面に画像が投影され、スクリーン１０４や赤外光源付ＰＤＰ１１６に遮蔽物が貼り付けられて一部が遮蔽された場合、その遮蔽領域１０５によって遮られた画像がスクリーン１０４の前面側から投影され、観察者は、リア投影装置１０８によって投影される画像あるいは赤外光源付ＰＤＰ１１６によって表示される画像の全体を認識することができる。
【００５４】
なお、上述した実施形態では、スクリーン１０４を用いたが、テーブルの主面や床等の平面状のものを表示領域として有する表示媒体として用いてもよい。また、赤外光源付ＰＤＰ１１６に代えて、赤外光源付の液晶ディスプレイ等の装置を用いてもよい。また、ＰＤＰや液晶ディスプレイが近赤外領域の光を照射する構造である場合には、赤外光源は不要である。
【産業上の利用可能性】
【００５５】
以上、説明したように、本発明に係る画像表示装置及び画像表示方法は、適切な画像表示が可能であり、画像表示装置及び画像表示方法として有用である。
【図面の簡単な説明】
【００５６】
【図１】第１の画像表示装置の構成を示す図である。
【図２】第１の画像表示装置の動作を示すフローチャートである。
【図３】ＰＣ画像の画素と撮影画像の画素の一例を示す図である。
【図４】第２の画像表示装置の構成を示す図である。
【図５】第１及び第２のが図表示装置の各部の配置例を示す図である。
【図６】第３の画像表示装置の構成を示す図である。
【図７】第３の画像表示装置の各部の配置例を示す図である。
【符号の説明】
【００５７】
１００−１、１００−２、１００−３  画像表示装置
１０２  ＰＣ
１０３  表示領域
１０４  スクリーン
１０５  遮蔽領域
１０６  フロント投影装置
１０８  リア投影装置
１１０  撮影装置
１１２  赤外光源
１１４  赤外領域撮影装置
１１６  赤外光源付ＰＤＰ
１２１、１２２  ミラー
【図１】
2008026424.tif 000003
【図２】
2008026424.tif 000004
【図３】
2008026424.tif 000005
【図４】
2008026424.tif 000006
【図５】
2008026424.tif 000007
【図６】
2008026424.tif 000008
【図７】
2008026424.tif 000009